(57)【特許請求の範囲】
【請求項１】
複数の輸液ポンプ（１ａ,１ｂ,１ｃ,１ｄ）を整列して載置可能な載置台（２）と、１つのＡＣ電源入力端子（４）と複数の直流出力端子（３）を備えた電源ボックスを備えた医療電子機器用カート（１００）であって、
前記載置台（２）は、３架設けられ、それぞれに複数の該直流出力端子（３）が設けられ、
前記電源ボックス（１０）は、前記３架の前記載置台（２）に対応して前記載置台（２）の下部に設けられ、
前記載置台（２）に載置される前記複数の輸液ポンプ（１ａ,１ｂ,１ｃ,１ｄ）にほぼ対応する位置に動作インジケータ（５ａ,５ｂ,５ｃ,５ｄ）、アラーム部（６ａ,６ｂ,６ｃ,６ｄ）を備え、
動作インジケータ（５ａ,５ｂ,５ｃ,５ｄ,５ｅ,５ｆ,５ｇ,５ｈ,５ｉ,５ｊ,５ｋ,５ｌ）は、発光ダイオードで形成され、通常動作時には緑色で発光するようにされ、前記アラーム部（６ａ,６ｂ,６ｃ,６ｄ,６,６ｆ,６ｇ,６ｈ,６ｉ,６ｊ,６ｋ,６ｌ）も、発光ダイオードで形成され、漏電異常が発生した場合には、漏電ブレーカを作動させ、充電動作を停止するとともに発光ダイオードを赤色で発光するようにされることを特徴とする医療電子機器用カート。
【発明の詳細な説明】
【０００１】
【発明の属する技術分野】
本発明は、小型の複数の医療用電子機器、特に輸液ポンプ、シリンジポンプ等の同一の医療用電子機器を載置することが可能、移動中でも充電が可能、医療用電子機器保管することも可能で、さらに輸液スタンドとしても使用できる医療電子機器用カートに関するものである。
【０００２】
【従来の技術】
従来、病院において、多数の小型の医療用電子機器、特に輸液ポンプ、シリンジポンプ等の収納スペースに限りがあり、また、患者のベッドで、複数の輸液ポンプ、シリンジポンプ等の医療用電子機器を使用すると複数のＡＣコードが絡み合うなど煩雑になっていた。
【０００３】
また、収納カートとして使用する場合、多数のポンプ類の収納スペースに限りがあった。さらに、ベッドサイドで輸液スタンドとして使用していない時に充電カートとして使用するに際して、コンセントの数に限りがあり充電カートとして余り活用されないという問題があった。また、使用している複数の医療用機器(医療用ポンプ類)の数量分の電源コードが絡み合うことがあり、ベッド周辺を整理することが困難であった。
【０００３】
【発明が解決しようとする課題】
本発明は、上記従来の問題点に鑑みてなされたものであって、小型の複数の医療電子機器、特に輸液ポンプ、シリンジポンプ等の同一の医療用電子機器を充電が可能で、保管することが可能で、さらに輸液スタンドとしても使用可能な医療電子機器用カートを提供することを目的とする。また、使用している医療用機器(医療用ポンプ類)の数量分の電源コードが絡み合うことがなく、ベッド周辺を整理することが容易な医療電子機器用カートを提供することを目的とする。
【０００４】
【課題を解決するための手段】
本発明の目的を達成するために、本発明の医療電子機器用カートは、複数の輸液ポンプを整列して載置可能な載置台と、１つのＡＣ電源入力端子と複数の直流出力端子を備えた電源ボックスを備えた医療電子機器用カートであって、前記載置台は、３架設けられ、それぞれに複数の該直流出力端子が設けられ、前記電源ボックスは、前記３架の前記載置台に対応して前記載置台の下部に設けられ、前記載置台に載置される前記複数の輸液ポンプにほぼ対応する位置に動作インジケータ、アラーム部（を備え、動作インジケータは、発光ダイオードで形成され、通常動作時には緑色で発光するようにされ、前記アラーム部も、発光ダイオードで形成され、漏電異常が発生した場合には、漏電ブレーカ(不図示)を作動させ、充電動作を停止するとともに発光ダイオードを赤色で発光するようにされることを特徴とする。
【０００５】
医療電子機器用カートには、付属品を収納するためのスペースを更に下部に設けられている。
【０００６】
【発明の実施の形態】
以下、添付図面を参照して、本発明の好適な実施の形態について説明する。図１は、本発明の医療電子機器用カートの正面からの外観斜視図、図２は、医療電子機器用カートの背面からの外観斜視図である。なお、医療電子機器として、輸液ポンプを例として説明するが、シリンジポンプ等の他の医療電子機器についても適用が可能である。
【０００７】
１は輸液ポンプで、２はほぼ水平面を有する載置台、１０は載置台２の下に設けられた電源ボックスであり、４つの支持部材８により支持されている。４つの支持部材８の下部には医療電子機器用カート１００を移動可能とするために任意方向に向くことが可能なローラ７が設けられいる。このローラ８に、ストップ部材(不図示)を設けて不意の移動を防止することができる。載置台２には、医療電子機器を並列及び／または直列に整列して所定箇所に載置するために係合部材(不図示)が設けられている。
【０００８】
本実施例では、載置台２が複数(３架)設けられているが、これに限定されるものではない。また、電源ボックス１０は、複数の載置台２にそれぞれの対応して下部に設けられいるが載置台２の上部に設けてもよい。
【０００９】
各電源ボックス１０は、医療電子機器用カート１００の背部に複数の電源出力端子３と電源入力端子(ＡＣタップ)４を備えている。この電源入力端子４は、病室内の壁面に設けられたコンセントに電源コードを介して接続されるために、任意の電源ボックス１０のうちの１つに設けられている。電源出力端子３は、輸液ポンプ１ａ,１ｂ,１ｃ,１ｄの背面にそれぞれ設けられた電源入力端子３ａ,３ｂ,３ｃ,３ｄに電源ケーブル(不図示)を介してぞれぞれ
接続される。
【００１０】
一方、載置台２に載置される輸液ポンプ１ａ,１ｂ,１ｃ,１ｄにほぼ対応する位置に動作インジケータ５ａ,５ｂ,５ｃ,５ｄ、アラーム部６ａ,６ｂ,６ｃ,６ｄを備えている。
【００１１】
この動作インジケータ５ａ,５ｂ,５ｃ,５ｄ,５ｅ,５ｆ,５ｇ,５ｈ,５ｉ,５ｊ,５ｋ,５ｌは、例えば発光ダイオード(ＬＥＤ)で形成され、通常動作時には緑色で発光するようにされ比較的遠い場所からも動作状況の視認が可能となっている。
【００１２】
また、アラーム部６ａ,６ｂ,６ｃ,６ｄ,６,６ｆ,６ｇ,６ｈ,６ｉ,６ｊ,６ｋ,６ｌも、例えば発光ダイオード(ＬＥＤ)で形成され、漏電などが異常が発生した場合には、漏電ブレーカ(不図示)を作動させ、充電動作を停止するとともに発光ダイオードを赤色で発光するようにされ、比較的遠い場所からもアラーム状況の視認が可能となっている。
【００１３】
動作インジケータ５ａとアラーム部６ａを１つの発光ダイオード(ＬＥＤ)で形成し、通常動作時には緑色で発光させ、漏電などが異常が発生した場合には、漏電ブレーカを作動させ、充電動作を停止するとともに発光ダイオードを赤色で発光するようにすることも可能である。
【００１４】
次に充電を行う場合の手順を説明する。医療電子機器用カート１００を所定場所(病室等)に移動させ、ストッパを作動させて移動を防止した後、輸液ポンプ１を係合部材により所定位置に整列させて固定する。この後、電源ケーブルを前記所定場所のコンセントと電源入力端子４に接続させる。また、各電源出力端子３と輸液ポンプの電源入力端子３ａ,３ｂ,３ｃ,３ｄが交叉しないように電源ケーブルを接続させる。接続が完了すると、電源出力端子と輸液ポンプの電源入力端子が接続された箇所に対応する動作インジケータ５ａ〜ｌが点燈または点滅し、充電が開始されたことが確認できる。また、充電開始スイッチを別に設け、このスイッチを操作して充電開始を指示するようにしてもよい。
【００１５】
充電動作中に漏電等のトラブルが発生するとアラーム部６ａ〜ｌの点燈または点滅によりアラームが報知される。
【００１６】
図３は、本発明の他の実施例である、下部に収納ケース１１を備えた医療電子機器用カート１００の正面からの外観斜視図である。同一符号は図１と同一の構成を示している。
【００１７】
【発明の効果】
本発明によれば、複数の輸液装置を整列して載置可能な載置台と、１つの電源入力端子と複数の直流出力端子を備えた電源ボックスを備えたことを特徴とする医療電子機器用カートであるので、小型の複数の医療用電子機器、特に輸液ポンプ、シリンジポンプ等の同一の医療用電子機器を載置することが可能、移動中でも充電が可能、医療用電子機器保管することも可能で、さらに輸液スタンドとしても使用できる医療電子機器用カートが得られる。また、使用している複数の医療用機器(医療用ポンプ類)の数量分の電源コードが絡み合うことがなく、ベッド周辺を整理することが容易となる。
【図面の簡単な説明】
【図１】本発明の実施例の正面からの外観斜視図である。
【図２】本発明の実施例の背面からの外観斜視図である。
【図３】本発明の他の実施例の正面からの外観斜視図である。
【符号の説明】
１… 輸液ポンプ、２… 載置台、３… 電源出力端子、３ａ，４…電源入力端子、５… 動作インジケータ、６… アラーム部
【図１】
0004623821.tif 000002
【図２】
0004623821.tif 000003
【図３】
0004623821.tif 000004